(57)【要約】【課題】  電源電圧に瞬時電圧低下が発生しても、位相制御型調光器の位相制御素子が導通しなくなることが防止されるＬＥＤ点灯装置、このＬＥＤ点灯装置を具備する照明装置およびこの照明装置を具備する照明制御システムを提供する。【解決手段】  ＬＥＤ点灯装置１は、位相制御型調光器８から交流電圧を入力する整流器１１および整流器１１の出力間に接続された平滑用コンデンサＣ１を有するＡＣ−ＤＣ変換回路２と、ＡＤ−ＤＣ変換回路２から出力された直流電圧を整流器１１に入力される交流電圧に応じた直流電圧に変換する電流調整回路３と、整流器１１の出力間に接続され、位相制御型調光器８の位相制御素子１３に保持電流以上の電流を流すことができるように形成されているバイパス回路５と、整流器１１に入力される交流電圧の瞬時電圧低下を検出し、当該瞬時電圧低下に応じてバイパス回路５を作動させる駆動回路６を具備している。【選択図】図１
2012160284.tif 000002
【特許請求の範囲】
【請求項１】
位相制御型調光器から交流電圧を入力する整流器およびこの整流器の出力間に接続された平滑用コンデンサを有し、前記交流電圧を直流電圧に変換して前記平滑用コンデンサの両端間に出力するＡＣ−ＤＣ変換回路と；
このＡＤ−ＤＣ変換回路から出力された直流電圧を前記整流器に入力される交流電圧に応じた直流電圧に変換し、発光ダイオードに電流を供給する電流調整回路と；
前記整流器の出力間に接続され、前記位相制御型調光器の位相制御素子に保持電流以上の電流を流すことができるように形成されているバイパス回路と；
前記整流器に入力される交流電圧の瞬時電圧低下を検出し、当該瞬時電圧低下に応じて前記バイパス回路を作動させる駆動回路と；
を具備していることを特徴とするＬＥＤ点灯装置。
【請求項２】
前記位相制御型調光器の位相制御素子に保持電流以上の電流を流すことができるように前記整流器の入力間または出力間に接続された擬似負荷と；
を具備し、前記バイパス回路は、前記位相制御型調光器の位相制御素子に前記擬似負荷によって流される電流以上の電流が流れるように形成されていることを特徴とする請求項１記載のＬＥＤ点灯装置。
【請求項３】
請求項１または２記載のＬＥＤ点灯装置と；
このＬＥＤ点灯装置によって点灯される発光ダイオードと；
前記ＬＥＤ点灯装置および前記発光ダイオードを配設している照明装置本体と；
を具備していることを特徴とする照明装置。
【請求項４】
請求項３記載の照明装置と；
交流電源の交流電圧の導通角を可変する位相制御素子を有し、前記ＬＥＤ点灯装置に交流電圧を出力する位相制御型調光器と；
を具備していることを特徴とする照明制御システム。
【発明の詳細な説明】
【技術分野】
【０００１】
本発明の一実施形態は、位相制御型調光器により光源としての発光ダイオードを調光点灯するＬＥＤ点灯装置、このＬＥＤ点灯装置を具備する照明装置およびこの照明装置を具備する照明制御システムに関する。
【背景技術】
【０００２】
発光ダイオードは、近年の高出力化に伴い、また、省電力、長寿命や発熱量が低いなどの理由により、白熱電球や放電ランプの代替光源として一般の照明装置に急速に用いられている。そして、発光ダイオードを光源とする照明装置においても、調光点灯することが行われている。
【０００３】
従来、白熱電球などの調光制御は、交流電圧の導通角を制御する位相制御型調光器を用いて行われてきた。そして、当該位相制御型調光器は、発光ダイオードを光源とする照明装置に対しても使用されている。すなわち、費用や工事などの関係で、位相制御型調光器の交換および配線変更工事を極力避けることが得策となっている。
【０００４】
しかし、発光ダイオードは、軽負荷であり、調光されるに従ってさらに軽負荷になるので、位相制御型調光器は、発光ダイオードが深く調光されたときに、その位相制御素子例えばトライアックに流れる電流が位相制御素子の保持電流を下回って位相制御素子がオフすることがある。また、位相制御型調光器は、例えばＬＣ回路からなるノイズフィルター回路を備えており、このノイズフィルター回路の共振により位相制御素子に流れる電流が保持電流を下回って位相制御素子がオフすることがある。このため、位相制御型調光器には、発光ダイオードを光源とする照明装置とともに、電球や抵抗などの擬似負荷を接続しているものがある。ここで、擬似負荷は、その分の電力損失を発生させるので、位相制御素子に保持電流を流すことのできる程度に、可能な限り軽負荷であることが望ましい。
【０００５】
また、位相制御素子に保持電流を流すようにするために、例えば、バイパス回路により、発光ダイオードに電流を供給する電流供給ラインから電流を引き抜くようにしているものがある（例えば特許文献１参照。）。この特許文献１のＬＥＤ駆動回路は、例えば、その入力電圧又は入力電圧を整流した電圧を検出する電圧検出回路を備え、この電圧検出回路の検出結果により、電流供給ラインからの電流引き抜きを制御するものである。すなわち、電圧検出回路が検出した検出電圧は、所定の比較電圧と比較される。そして、検出電圧が比較電圧よりも小さいときに、バイパス回路により電流供給ラインから電流引き抜きが行われ、検出電圧が比較電圧よりも大きいときには、電流供給ラインからの電流引き抜きが行われないものである。
【０００６】
ところで、商用交流電源には、照明装置の他、他の位相制御器に接続された電気機器例えば比較的消費電力が大きい熱機器が接続されている場合がある。そして、位相制御器の位相制御素子が導通したときに、電気機器に瞬時に突入電流が流れることにより、電源インピーダンスの影響を受けて、商用交流電源の交流電圧が瞬時に低下するなどの電源電圧の歪みを引き起こす場合がある。このとき、同一系統に接続されている照明装置に、波形の歪んだ電源電圧が入力されることになる。
【先行技術文献】
【特許文献】
【０００７】
【特許文献１】特開２０１０−２１２２６７号公報（第８頁、第２図）
【発明の概要】
【発明が解決しようとする課題】
【０００８】
軽負荷の擬似負荷が接続されているＬＥＤ点灯装置は、交流電圧に瞬時電圧低下が発生すると、擬似負荷に流れる電流が減少するので、位相制御素子に流れる電流が保持電流を下回り、位相制御素子がオフすることがある。ここで、特許文献１に示すようなバイパス回路を設けていても、瞬時電圧低下した時点の電圧値が比較電圧よりも大きいと、バイパス回路により電流供給ラインからの電流引き抜きが行われない。すなわち、瞬時電圧低下は、交流電圧波形のいずれの時点でも発生するものであり、当該発生時点によっては、電流供給ラインからの電流引き抜きが行われなく、位相制御素子がオフする。これにより、発光ダイオードにちらつきなどの不具合が発生するという問題がある。
【０００９】
本発明は、電源電圧に瞬時電圧低下が発生しても、位相制御型調光器の位相制御素子が導通しなくなることが抑制されるＬＥＤ点灯装置、このＬＥＤ点灯装置を具備する照明装置およびこの照明装置を具備する照明制御システムを提供することを目的とする。
【課題を解決するための手段】
【００１０】
本発明の実施形態のＬＥＤ点灯装置は、ＡＣ−ＤＣ変換回路、電流調整回路、バイパス回路および駆動回路を有して構成される。
【００１１】
ＡＣ−ＤＣ変換回路は、位相制御型調光器から交流電圧を入力する整流器およびこの整流器の出力間に接続された平滑用コンデンサを有してなる。そして、整流器および平滑用コンデンサにより、交流電圧を直流電圧に変換して平滑用コンデンサの両端間に出力する。
【００１２】
電流調整回路は、ＡＤ−ＤＣ変換回路から出力された直流電圧を整流器に入力される交流電圧に応じた直流電圧に変換するように形成される。そして、発光ダイオードの両端間に当該直流電圧を印加することにより、発光ダイオードに当該直流電圧に応じた電流を供給する。
【００１３】
バイパス回路は、整流器の出力間に接続され、作動することにより位相制御型調光器の位相制御素子に保持電流以上の電流を流すことできるように形成される。
【００１４】
駆動回路は、整流器に入力される交流電圧の瞬時電圧低下を検出し、当該瞬時電圧低下に応じてバイパス回路を作動させるように形成される。
【発明の効果】
【００１５】
本発明の実施形態によれば、整流器に入力される交流電圧に瞬時電圧低下が発生すると、当該瞬時電圧低下を検出し、当該瞬時電圧低下に応じてバイパス回路を作動させる駆動回路を備えるので、ＡＣ−ＤＣ変換回路の整流器の出力間にバイパス回路を介して電流が流れることにより、位相制御型調光器の位相制御素子に保持電流以上の電流が流れて、位相制御素子がオフすることが抑制され、これにより、光源としての発光ダイオードにちらつきなどの不具合が発生することを抑制できることが期待できる。
【図面の簡単な説明】
【００１６】
【図１】本発明の実施例１を示すＬＥＤ点灯回路の概略回路図である。
【図２】同じく、瞬時電圧低下を示す交流電圧波形を示し、（ａ）は位相制御型調光器の概略入力電圧波形図、（ｂ）は位相制御型調光器の概略出力電圧波形図である。
【図３】同じく、整流器への入力を示し、（ａ）は概略入力電圧波形図、（ｂ）は擬似負荷およびバイパス回路による入力電流を概念的に示す説明図である。
【図４】本発明の実施例２を示すＬＥＤ点灯回路の概略回路図である。
【図５】本発明の実施例３を示す照明制御システムの概略ブロック図である。
【発明を実施するための形態】
【００１７】
以下、本発明の一実施の形態について、図面を参照して説明する。
【実施例１】
【００１８】
本発明の実施形態のＬＥＤ点灯装置１は、図１に示すように、ＡＣ−ＤＣ変換回路２、電流調整回路３、擬似負荷４、バイパス回路５および駆動回路６を有して構成される。ＬＥＤ点灯装置１の入力端子７ａ，７ｂは、位相制御型調光器８を介して商用交流電源Ｖｓに接続され、出力端子９ａ，９ｂは、複数個が直列接続された光源である発光ダイオード１０に接続されている。
【００１９】
ＡＣ−ＤＣ変換回路２は、ダイオードブリッジからなる整流器１１および平滑用コンデンサＣ１を有して形成されている。整流器１１は、その入力間が抵抗Ｒ１を介してＬＥＤ点灯装置１の入力端子７ａ，７ｂに接続され、位相制御型調光器８から出力された交流電圧を入力する。そして、整流器１１の出力間は、逆流防止用ダイオードＤ１を介して平滑用コンデンサＣ１に接続されている。ＡＣ−ＤＣ変換回路２は、位相制御型調光器８から出力された交流電圧を直流電圧に変換して平滑用コンデンサＣ１の両端間に出力する。
【００２０】
位相制御型調光器８は、その入力端子８ａ，８ｂが商用交流電源ＶｓおよびＬＥＤ点灯装置１の入力端子７ａに接続されている。そして、位相制御型調光器８は、その入力端子８ａ，８ｂにインダクタＬ１およびコンデンサＣ２からなるノイズフィルター回路１２を介して位相制御素子としてのトライアック１３と、可変抵抗ＶＲ１および抵抗Ｒ２の直列回路とが接続されている。そして、トライアック１３のゲートと、可変抵抗ＶＲ１および抵抗Ｒ２の接続点ａ１との間には、ダイアック１４が接続され、抵抗Ｒ２にコンデンサＣ３が並列接続されている。ノイズフィルター回路１２は、トライアック１３の導通時に発生するノイズを抑制する。また、当該ノイズは、ＡＣ−ＤＣ変換回路２の抵抗Ｒ１および平滑用コンデンサＣ１によっても抑制される。
【００２１】
可変抵抗ＶＲ１は、図示しないつまみに接続されていて、このつまみが回動されることにより抵抗値が可変される。これにより、トライアック１３の導通のタイミングが可変されて、商用交流電源Ｖｓの交流電圧の導通角が可変される。
【００２２】
電流調整回路３は、電界効果トランジスタＱ１、ダイオードＤ２、インダクタＬ２およびコンデンサＣ４を有する既知の降圧チョッパ回路に形成されている。そして、コンデンサＣ４の両端がＬＥＤ点灯装置１の出力端子９ａ，９ｂに接続されている。
【００２３】
電流調整回路３の前段には、抵抗Ｒ３および抵抗Ｒ４の直列回路からなる電圧検出回路１５が設けられている。電圧検出回路１５は、ＡＣ−ＤＣ変換回路２の平滑用コンデンサＣ１の両端間電圧を検出して制御回路１６に出力する。平滑用コンデンサＣ１の両端間には、整流器１１に入力される交流電圧に応じた直流電圧が発生する。したがって、制御回路１６は、整流器１１に入力される交流電圧に応じて電界効果トランジスタＱ１をオンオフ制御する。
【００２４】
電流調整回路３は、制御回路１６により電界効果トランジスタＱ１がオンオフ制御されることにより、ＡＣ−ＤＣ変換回路２から出力された直流電圧を整流器１１に入力される交流電圧に応じた直流電圧に変換して、コンデンサＣ４の両端間に出力する。これにより、ＬＥＤ点灯装置１の出力端子９ａ，９ｂに接続される発光ダイオード１０に、整流器１１に入力される交流電圧に応じた電流が供給される。すなわち、発光ダイオード１０は、位相制御型調光器８から出力される交流電圧に応じた調光率で点灯される。
【００２５】
擬似負荷４は、整流器１１の出力間に接続されたＮ形バイポーラトランジスタＴｒ１および抵抗Ｒ５の直列回路と、トランジスタＴｒ１のベース、エミッタ間に抵抗Ｒ５を介して接続されたツェナーダイオードＺＤ１を有して形成されている。そして、トランジスタＴｒ１のベースは、平滑用コンデンサＣ１の正極側に接続されている。
【００２６】
トランジスタＴｒ１は、整流器１１に交流電圧が入力され、平滑用コンデンサＣ４の両端間に直流電圧が発生していると、常時オンする。これにより、トランジスタＴｒ１および抵抗Ｒ５の直列回路には、定電流が流れる。
【００２７】
そして、図３（ｂ）に示すように、当該定電流の電流値は、擬似負荷４によって整流器１１の入力側に流れる電流Ｉｂが位相制御型調光器８のトライアック１３の保持電流よりも幾分大きくなるように、抵抗Ｒ５の抵抗値などが設定されている。すなわち、トライアック１３が導通しているときに、トライアック１３に保持電流を下回る電流が流れてトライアック１３がオフしないようにしている。また、上記電流Ｉｂは、トライアック１３の保持電流に近い電流値となるように設定している。
【００２８】
そして、図３（ｂ）中、Ｉａで示す電流は、位相制御型調光器８のトライアック１３が導通する前に、位相制御型整流器８の可変抵抗ＶＲ１、抵抗Ｒ２およびＡＣ−ＤＣ変換回路２の抵抗Ｒ１等によって制限される電流である。
【００２９】
なお、図１において、擬似負荷４は、整流器１１の入力間に接続されてもよいものである。すなわち、擬似負荷４は、トライアック１３に保持電流以上の電流を流すことができるように接続されていればよい。
【００３０】
バイパス回路５は、整流器１１の出力間に接続されたスイッチング素子としてのＮ形バイポーラトランジスタＴｒ２および抵抗Ｒ６の直列回路と、トランジスタＴｒ２のベース、エミッタ間に抵抗Ｒ６を介して接続されたツェナーダイオードＺＤ２を有して形成されている。
【００３１】
バイパス回路５は、トランジスタＴｒ２がオンすることにより、トランジスタＴｒ２および抵抗Ｒ６の直列回路に定電流が流れる。この定電流は、図３（ｂ）に示すように、位相制御型調光器８のトライアック１３に、擬似負荷４によって流される電流Ｉｂ以上の電流Ｉｃが流れるように、すなわち最大図３（ｂ）中Ｉｍａｘの電流が流れるように、抵抗Ｒ６の抵抗値などが設定されている。当該電流Ｉｃは、擬似負荷４によってトライアック１３に流される電流Ｉｂに対して十分に大きい電流であればよい。このように、バイパス回路５は、位相制御型調光器８のトライアック１３に保持電流以上の電流を流すことができるように形成される。
【００３２】
駆動回路６は、バイパス回路５のトランジスタＴｒ２をオンオフ制御するものである。駆動回路６は、整流器１１の出力間に接続された抵抗Ｒ７およびＮ形バイポーラトランジスタＴｒ３の直列回路と、同じく整流器１１の出力間に接続された抵抗Ｒ８、抵抗Ｒ９および抵抗Ｒ１０の直列回路と、トランジスタＴｒ３のベース、エミッタ間に接続されたダイオードＤ３と、同じくトランジスタＴｒ３のベースと抵抗Ｒ９および抵抗Ｒ１０の接続点ａ２との間に接続された抵抗Ｒ１１と、抵抗Ｒ８に並列接続されたダイオードＤ４と、抵抗Ｒ９に並列接続されたコンデンサＣ５を有して形成されている。そして、抵抗Ｒ７およびトランジスタＴｒ３のコレクタの接続点ａ３がバイパス回路５のトランジスタＴｒ２のベースに接続されている。
【００３３】
ＡＣ−ＤＣ変換回路２の整流器１１に交流電圧が入力されて、整流器１１の出力間に全波整流電圧が発生していることにより、抵抗Ｒ８、抵抗Ｒ９および抵抗Ｒ１１の経路でトランジスタＴｒ３のベースに電流が供給される。これにより、トランジスタＴｒ３は、オンする。トランジスタＴｒ３がオンすると、抵抗Ｒ７およびトランジスタＴｒ３のコレクタの接続点ａ３が整流器１１の負極側電位となって、バイパス回路５のトランジスタＴｒ２がオフする。バイパス回路５には、電流が流れなくなる。
【００３４】
また、整流器１１の出力間に全波整流電圧が発生していることにより、抵抗Ｒ８、抵抗Ｒ９および抵抗Ｒ１０の直列回路に電流が流れて、抵抗Ｒ９に並列接続されているコンデンサＣ５が充電される。
【００３５】
そして、ＡＣ−ＤＣ変換回路２の整流器１１に入力する交流電圧が瞬時電圧降下すると、整流器１１の出力間に出力している全波整流電圧が瞬時低下する。このとき、抵抗Ｒ９に並列接続されているコンデンサＣ５は、抵抗Ｒ１０と微分回路を構成しており、ダイオードＤ４、ダイオードＤ１、擬似負荷４のトランジスタＴｒ１のベース、エミッタおよび抵抗Ｒ５の経路で放電する。これにより、トランジスタＴｒ３のベース電位が急速に低下し、トランジスタＴｒ３がオフする。トランジスタＴｒ３がオフすると、抵抗Ｒ７を介してバイパス回路５のトランジスタＴｒ２のベースに電流が供給される。これにより、トランジスタＴｒ２がオンして、バイパス回路５に電流が流れるようになる。
【００３６】
そして、整流器１１に入力する交流電圧が瞬時電圧降下から回復すると、整流器１１の出力間に全波整流電圧が発生して、抵抗Ｒ８、抵抗Ｒ９および抵抗Ｒ１０の直列回路に電流が流れて、コンデンサＣ４が再び充電されるとともに、トランジスタＴｒ３がオンし、バイパス回路５のトランジスタＴｒ２がオフする。ここで、トランジスタＴｒ３がオフしている期間は、抵抗Ｒ１０、抵抗Ｒ１１のそれぞれの抵抗値およびコンデンサＣ４の静電容量によって設定されるものであり、少なくとも前記瞬時電圧降下の期間に設定される。そして、ダイオードＤ３は、トランジスタＴｒ３をベースの逆バイアスから保護する。
【００３７】
このように、駆動回路６は、整流器１１に入力される交流電圧の瞬時電圧低下を検出し、当該瞬時電圧低下に応じてバイパス回路５のトランジスタＴｒ２をオンにさせて、バイパス回路５を作動させるように形成されている。駆動回路６は、商用交流電源Ｖｓが瞬時電圧低下したときに、バイパス回路５を作動させることができるように形成されていればよい。
【００３８】
商用交流電源Ｖｓには、本実施形態のＬＥＤ点灯装置１の他に、他の電気機器１７が位相制御器１８を介して接続されていることがある。電気機器１７は、例えば消費電力が比較的大きい熱機器である。位相制御器１８は、商用交流電源Ｖｓの交流電圧の導通角を可変して、当該交流電圧を電気機器１７に入力するように形成されている。
【００３９】
そして、位相制御器１８の位相制御素子１９が導通したときに、電気機器１７に瞬時に入力電流（突入電流）が流れることにより、図２（ａ）に示すように、商用交流電源Ｖｓの交流電圧が瞬時電圧低下することがある。このとき、位相制御型調光器８の位相制御素子としてのトライアック１３が導通していると、図２（ｂ）に示すように、導通角が可変された交流電圧も瞬時電圧低下するものである。
【００４０】
次に、本発明の実施例１の作用について述べる。
【００４１】
位相制御型調光器８の可変抵抗ＶＲ１の抵抗値が可変されると、トライアック１３により商用交流電源Ｖｓの交流電圧の導通角が可変され、当該導通角が可変された交流電圧がＬＥＤ点灯装置２のＡＣ−ＤＣ変換回路２の整流器１１に入力される。
【００４２】
ＡＣ−ＤＣ変換回路２は、整流器１１に入力した交流電圧を直流電圧に変換して平滑用コンデンサＣ１の両端間に出力する。当該直流電圧は、電圧検出回路１５、制御回路１６および電流調整回路３により、整流器１１に入力された交流電圧に応じた直流電圧に変換されて、発光ダイオード１０に印加される。発光ダイオードは、整流器１１に入力された交流電圧に応じた電流が流れて点灯し、可視光例えば白色光を放射する。こうして、発光ダイオード１０は、位相制御型調光器８の可変抵抗ＶＲ１の抵抗値が可変されることにより、調光点灯される。
【００４３】
整流器１１の出力間に接続されている擬似負荷４は、ＡＣ−ＤＣ変換回路２の平滑用コンデンサＣ１の両端間に直流電圧が発生（出力）しているので、トランジスタＴｒ１がオンし、電流が流れる。整流器１１の入力側、すなわち位相制御型調光器８のトライアック１３には、擬似負荷４に流れる電流分の電流Ｉｂが流れる。この電流Ｉｂは、トライアック１３の保持電流以上の電流である。これにより、トライアック１３が導通しているときに、トライアック１３に保持電流を下回る電流が流れなくなることが防止される。
【００４４】
そして、整流器１１の出力間に接続されているバイパス回路５は、駆動回路６のトランジスタＴｒ３がオンになることにより、トランジスタＴｒ２がオフし、電流が流れない。
【００４５】
そして、位相制御型調光器８のトライアック１３が導通しているときに、商用交流電源Ｖｓの交流電圧に瞬時電圧降下が発生すると、整流器１１の出力電圧が瞬時電圧降下する。擬似負荷４には、整流器１１の電圧降下した出力電圧に応じた電流が流れる。すなわち、擬似負荷４には、瞬時電圧降下の期間に亘って、減少した電流が流れる。
【００４６】
擬似負荷４に流れる電流が減少すると、整流器１１の入力側、すなわち位相制御型調光器８のトライアック１３に流れる電流も減少する。擬似負荷４によってトライアック１３に流される電流Ｉｂは、トライアック１３の保持電流よりも幾分大きい電流に設定されているので、トライアック１３に流れる電流が減少すると、前記瞬時電圧降下の程度によっては、トライアック１３に流れる電流が保持電流を下回り、トライアック１３がオフするものである。
【００４７】
また、瞬時電圧降下の期間、駆動回路６の抵抗Ｒ８、抵抗Ｒ９および抵抗Ｒ１０の直列回路には、整流器１１から電流が供給されなくなる。これにより、抵抗Ｒ９に並列接続されているコンデンサＣ５がダイオードＤ４を介して放電することにより、トランジスタＴｒ３がオフする。トランジスタＴｒ３がオフすると、バイパス回路５のトランジスタＴｒ２がオンして、バイパス回路５に電流が流れる。バイパス回路５には、整流器１１の電圧降下した出力電圧に応じた電流が流れる。しかし、当該電流は、比較的大電流に設定されている。
【００４８】
整流器１１の入力側、すなわち位相制御型調光器８のトライアック１３には、バイパス回路５に流れる電流分の電流Ｉｃが流れる。この電流Ｉｃは、トライアック１３の保持電流以上の電流である。
【００４９】
こうして、商用交流電源Ｖｓに瞬時電圧降下が発生し、位相制御型調光器８のトライアック１３に擬似負荷４によって保持電流以上の電流が流されなくなっても、トライアック１３には、バイパス回路５によって保持電流以上の電流が流される。これにより、トライアック１３が導通しているときに、商用交流電源Ｖｓに瞬時電圧降下が発生しても、トライアック１３に保持電流を下回る電流が流れなくなることが防止される。
【００５０】
なお、ＡＣ−ＤＣ変換回路２の平滑用コンデンサＣ１の静電容量は比較的大きいので、前記瞬時電圧降下の期間、平滑用コンデンサＣ１の両端間電圧は、急速に低下しない。これにより、発光ダイオード１０は、点灯を維持している。
【００５１】
本実施形態によれば、商用交流電源Ｖｓの交流電圧に瞬時電圧低下が発生すると、当該瞬時電圧低下が検出され、当該瞬時電圧低下に応じてバイパス回路５のトランジスタＴｒ２をオンにさせてバイパス回路５を作動させる駆動回路６を備えるので、ＡＣ−ＤＣ変換回路２の整流器１１の出力間にバイパス回路５を介して電流が流れることにより、位相制御型調光器８のトライアック１３に保持電流以上の電流が流れて、トライアック１３がオフすることが抑制され、これにより、光源としての発光ダイオード１０にちらつきなどの不具合が発生することを抑制できるという効果を有する。
【実施例２】
【００５２】
図４は、本発明の実施例２を示すＬＥＤ点灯回路の概略回路図である。なお、図１と同一部分には、同一符号を付して説明は省略する。
【００５３】
図４に示すＬＥＤ点灯装置１Ａは、図１に示すＬＥＤ点灯装置１において、擬似負荷４およびバイパス回路５を１つのバイパス回路５Ａに構成したものである。
【００５４】
バイパス回路５Ａは、整流器１１の出力間に接続されたＮ形バイポーラトランジスタＴｒ４、抵抗Ｒ１２および抵抗Ｒ１３の直列回路と、トランジスタＴｒ４のベース、エミッタ間に抵抗Ｒ１２および抵抗Ｒ１３の直列回路を介して接続されたツェナーダイオードＺＤ３と、抵抗Ｒ１３に並列接続されたＮ形バイポーラトランジスタＴｒ５とを有して形成されている。ここで、抵抗Ｒ１２および抵抗Ｒ１３の合成抵抗値は、例えば図１に示す抵抗Ｒ５の抵抗値となっている。また、抵抗Ｒ１２の抵抗値は、例えば図１に示す抵抗Ｒ６の抵抗値となっている。
【００５５】
そして、トランジスタＴｒ４のベースは、ＡＣ−ＤＣ変換回路２の平滑用コンデンサＣ１の正極側に接続され、トランジスタＴｒ５のベースは、駆動回路６の抵抗Ｒ７およびトランジスタＴｒ３の接続点ａ３に接続されている。
【００５６】
位相制御型調光器２からの交流電圧が整流器１１に入力されると、整流器１１の出力電圧により平滑用コンデンサＣ１が充電される。すなわち、平滑用コンデンサＣ１は、整流器１１から出力電圧が出力されていると、その両端間に直流電圧が発生している。トランジスタＴｒ４は、そのベースに平滑用コンデンサＣ１からの電流が供給されてオンする。一方、トランジスタＴｒ５は、駆動回路６のトランジスタＴｒ３がオンするので、そのベースがエミッタと略同電位となってオフする。これにより、バイパス回路５Ａは、図１に示す擬似負荷４の回路となり、整流器１１の入力側、すなわち位相制御型調光器２のトライアック１３に保持電流以上の電流Ｉｂを流すことができる。
【００５７】
そして、位相制御型調光器２のトライアック１３の導通時に、商用交流電源Ｖｓに瞬時電圧低下が発生すると、駆動回路６のトランジスタＴｒ３がオフする。トランジスタＴｒ５のベースには、駆動回路６の抵抗Ｒ７を介して整流器１１の正極出力側から瞬時電圧降下に応じた電流が供給される。トランジスタＴｒ５は、オンし、抵抗Ｒ９の両端間が短絡される。これにより、バイパス回路５Ａは、整流器１１の出力間にトランジスタＴｒ４および抵抗Ｒ１３の直列回路が接続されることにより、図１に示すバイパス回路５の回路となり、整流器１１の入力側、すなわち位相制御型調光器２のトライアック１３に保持電流以上の電流Ｉｃを流すことができる。
【００５８】
本実施形態によれば、商用交流電源Ｖｓの交流電圧に瞬時電圧低下が発生していないときに限らず、瞬時電圧低下が発生したときにも、整流器１１の出力間に電流を流すバイパス回路５Ａを備えるので、位相制御型調光器８のトライアック１３に保持電流以上の電流が流れて、トライアック１３がオフすることが抑制され、これにより、光源としての発光ダイオード１０にちらつきなどの不具合が発生することを抑制できるという効果を有する。
【００５９】
また、バイパス回路５Ａは、擬似負荷４を兼ねるので、回路構成が簡素となり、これにより、ＬＥＤ点灯装置１Ａを安価に形成できるという効果を有する。
【実施例３】
【００６０】
図４は、本発明の実施例３を示す照明制御システムの概略ブロック図である。照明制御システム２０は、照明装置２１および図１に示した位相制御型調光器８を有して構成されている。
【００６１】
そして、照明装置２１は、図１に示すＬＥＤ点灯装置１、光源としての発光ダイオード１０および照明装置本体２２を有して構成されている。発光ダイオード１０は、可視光例えば白色光を放射する。照明装置本体２２は、ＬＥＤ点灯装置１および発光ダイオード１０を配設している既知の構造により形成されている。
【００６２】
そして、照明装置２１は、一般のＬＥＤ照明器具の他、口金構造を有するＬＥＤ電球などのＬＥＤランプ、このＬＥＤランプを具備する照明器具とすることができる。
【００６３】
本実施形態の照明制御システム２０および照明装置２１によれば、図１に示すＬＥＤ点灯装置１を具備するので、位相制御型調光器８の位相制御素子としてのトライアック１３（図示しない。）が導通しているときに、商用交流電源Ｖｓに瞬時電圧降下が発生しても、トライアック１３に保持電流を下回る電流が流れることが抑制され、ＬＥＤ点灯装置１の動作が不安定になることが抑制されて、光源としての発光ダイオード１０にちらつきなどの不具合が発生することを抑制できるという効果を有する。
【符号の説明】
【００６４】
１，１Ａ…ＬＥＤ点灯装置、  ２…ＡＣ−ＤＣ変換回路、  ３…電流調整回路、  ４…擬似負荷、  ５，５Ａ…バイパス回路、  ６…駆動回路、  ８…位相制御型調光器、  １０…発光ダイオード、  １１…整流器、  ２０…照明制御システム、  ２１…照明装置、  ２２…照明装置本体、  Ｃ１…平滑用コンデンサ
【図１】
2012160284.tif 000003
【図２】
2012160284.tif 000004
【図３】
2012160284.tif 000005
【図４】
2012160284.tif 000006
【図５】
2012160284.tif 000007